(57)【要約】【課題】  抗菌性や消臭特性による優れた衛生効果を有すると共に、透湿・防水性を兼ね備え、高い利便性および心地よい装着感を実現することができるパンツを提供する。【解決手段】  抗菌パイル布１１と消臭性を有する不織布１２とを超音波キルト加工にて接着して形成されたシート本体１０が、パンツの尿受部および／または肛門配置部に設置されている。また、シート本体１０に、透湿・防水性を有するラミネートシート１４を接着することが好ましい。【選択図】  図１
0003105046.tif 000002
【実用新案登録請求の範囲】
【請求項１】
抗菌パイル布と消臭性を有する不織布とを超音波キルト加工にて接着して形成されたシート本体が、尿受部および／または肛門配置部に設置されていることを特徴とするパンツ。
【請求項２】
前記シート本体に、透湿・防水加工が施されている請求項１記載のパンツ。
【請求項３】
前記超音波キルト加工による接着が互いに適宜間隔を有する点接着である請求項１または２記載のパンツ。
【請求項４】
前記シート本体が両面テープにて設置されている請求項１〜３のうちいずれか一項記載のパンツ。
【請求項５】
前記シート本体が面ファスナーにて着脱自在に設置されている請求項１〜３のうちいずれか一項記載のパンツ。
【考案の詳細な説明】
【技術分野】
【０００１】
本考案は、抗菌性や消臭特性を有すると共に、透湿性および防水性を兼ね備えたパンツに関する。
【背景技術】
【０００２】
従来、パンツ内に失禁用部材を配設して、老人や病人等の着用者の尿失禁時に尿を吸収し、消臭するようにした失禁用パンツは一般によく知られている（例えば、特許文献１参照）。例えば、特許文献１に記載されている失禁用パンツは、ラミネート生地上に消臭吸水性部材、吸収性生地、ネット状生地を順次積層し、且つネット状生地の一側縁を除き、前記積層部材の周縁を撥水性テープ生地で捲回し、縫着一体化して形成してなる失禁用部材のラミネート生地側を吊下げ用生地上に適宜縫着、一体化し、同吊下げ用生地をパンツの内側で、且つ前身頃のウエスト部から後身頃のウエスト部にかけて吊下げ、保持するように構成されている。
【特許文献１】特開平８−２８０７２６号公報（第１−２頁）
【考案の開示】
【考案が解決しようとする課題】
【０００３】
しかしながら、特許文献１に記載されているような構成の失禁用パンツは、製造工程が多く、コスト高になると共に、失禁用部材が大型肉厚状を呈するため、パンツ装着時に違和感があり、歩行や日常生活に不快感を伴うことは避けられなかった。また、抗菌特性を有するものではなかった。
【０００４】
そこで本考案は上記の点に鑑み、抗菌性や消臭特性による優れた衛生効果を有すると共に、透湿・防水性を兼ね備え、高い利便性および心地よい装着感を実現することができるパンツを提供することにある。
【課題を解決するための手段】
【０００５】
上記課題を解決するために本考案のパンツは、抗菌パイル布と消臭性を有する不織布とを超音波キルト加工にて接着して形成されたシート本体が、パンツの尿受部および／または肛門配置部に設置されていることを特徴とするものである。また、前記シート本体には、透湿・防水加工が施されていることが好ましく、さらに、前記シート本体が両面テープにて設置されているか、あるいは前記シート本体が面ファスナーにて着脱自在に設置されていることが好ましい。
【考案の効果】
【０００６】
上記構成のシート本体を、パンツの尿受部および／または肛門配置部に設置したことにより、抗菌パイル布による衛生面向上と不織布による消臭性が得られる。また、夫々を超音波キルト加工にて接着したことで、高い通気性と接着力を有する。さらに、前記シート本体に透湿・防水加工を施すことで、尿等の水分の外部への浸透を防止することができる。さらにまた、両面テープにより、あるいはまた、面ファスナーによりシート本体を設置することで、シート本体の装着を容易に行うことができ、また、シート本体を任意個所に着脱させることができる。
【考案を実施するための最良の形態】
【０００７】
以下、本考案におけるパンツの実施の形態を図面に基づいて詳細に説明する。
図１は、抗菌パイル布１１と消臭性を有する不織布１２を超音波キルト加工にて接着して形成されたシート本体１０を示す。かかるシート本体１０は、男性用パンツＡにおいては、図４の（ａ）、（ｂ）に示すようにパンツＡの前面略中央の尿受部ａまたは肛門配置部ｂ、あるいは両方個所に設置し、女性用パンツＢにおいては、図５の（ａ）、（ｂ）に示すようにパンツＢの前面やや下方の尿受部ａまたは肛門配置部ｂ、あるいは両方個所に設置することが好ましい。
【０００８】
抗菌パイル布１１は、吸水性の高い繊維、好適にはポリエステル繊維にて形成されており、かかるパイル布には既知の手法により抗菌処理を施す。例えば、抗菌処理として、キトサンを繊維素材中に練り込むことにより抗菌繊維素材が形成される。かかるキトサンを含有する抗菌パイル布１１を用いることで、雑菌の繁殖が抑えられ、衛生面において優れた特性が得られる。
【０００９】
不織布１２は、消臭性組成物を含有、または付着した既知の繊維を利用して形成される。消臭性を有する繊維素材は市場で容易に入手することが可能である。また、既存の不織布に消臭性組成物を付着してもよい。不織布１２を消臭性組成物を有する繊維にて形成することで、洗濯においても消臭効果が低減することがなく、消臭機能が回復し、繰り返しの使用が可能で経済的である。
【００１０】
また特に、抗菌パイル布１１と不織布１２とは、複数の溶着部１３で互いに適宜間隔にて点接着される超音波キルト加工にて接着される。かかる超音波キルト加工は、素材自体を超音波振動による摩擦熱で複数層の素材を接着する加工技術であり、それ自体は従来から周知の技術である。上述の超音波キルト加工を用いることで、抗菌パイル布１１と不織布１２とが超音波振動による摩擦熱で点接着にて溶着されるため、素材自体の通気性や通水性を損なうことがない。また、通常の多針キルティング縫着とは異なり、素材間に針による貫通穴がなく、また糸を使用しないため糸切れや糸のほつれもない。さらに、長期使用においても抗菌パイル布１１と不織布１２との接着状態を確実に保持することができる。
【００１１】
また他の好適例として、図２に示すように、前記シート本体１０に、透湿・防水性を有するラミネートシート１４を接着することが好ましい。かかるラミネートシート１４は、ポリウレタン素材のシートを２０〜３０μｍの厚さにて積層する。また、前記ラミネートシート１４は、シート本体１０の不織布１２側に熱転写方式にて好適に接着される。前記シート本体１０にラミネートシート１４を接着することで、尿等の水分の外部への浸透を防止することができる。かかる透湿・防水性を有するラミネートシートも市場で容易に入手することができる。
【００１２】
また、更に他の好適例として、図３に示すように、シート本体１０に両面テープ１５を設置することが好ましい。この場合、両面テープ１５をラミネートシート１４側に貼着し、剥離紙を剥がしてパンツの尿受部ａまたは肛門配置部ｂに貼着することで、シート本体１０の装着を容易に行うことができる。
【００１３】
また、更に他の好適例として、面ファスナー１６をシート本体１０に設置しても、両面テープと同様の効果を得ることができる。
【図面の簡単な説明】
【００１４】
【図１】シート本体の拡大断面図である。
【図２】他の好適例を示すシート本体の拡大断面図である。
【図３】シート本体の斜視図である。
【図４】（ａ）は男性用パンツの正面図、（ｂ）は男性用パンツの断面図である。
【図５】（ａ）は女性用パンツの正面図、（ｂ）は女性用パンツの断面図である。
【符号の説明】
【００１５】
１０  シート本体  
１１  抗菌パイル布
１２  不織布
１３  溶着部
１４  ラミネートシート
１５  両面テープ
１６  面ファスナー
Ａ  男性用パンツ
Ｂ  女性用パンツ
ａ  尿受部
ｂ  肛門配置部
【図１】
0003105046.tif 000003
【図２】
0003105046.tif 000004
【図３】
0003105046.tif 000005
【図４】
0003105046.tif 000006
【図５】
0003105046.tif 000007